Podtech/llm-jp-corpus-v4-ja_patent huggingface dataset:
(57)【要約】【課題】窓ガラスの車内面側において網を自動的に昇降可能とし、網が窓ガラスの車内面側に上昇していても窓ガラスを自由に昇降開閉可能とした自動車ドアを提供する。【解決手段】自動車ドア本体１の窓ガラス２の面形状に沿った面形状を記憶し、前記窓ガラス２の外形形状と同形状の網４を自動車ドア本体１のアウトパネルとインナパネルとの間の空間部に配置したサーボモータ７及びサーボモータ７により正逆回転するロール６による自動巻き取り、巻き戻し装置により前記窓ガラス２の車内面側において昇降可能に設けた。【選択図】図１
2008260353.tif 000002
【特許請求の範囲】
【請求項１】
自動車ドアの窓ガラスの面形状に沿った面形状を記憶し、前記窓ガラスの外形形状と同形状の網を自動車ドアのアウトパネルとインナパネルとの間の空間部に配置した自動巻き取り、巻き戻し装置により前記窓ガラスの車内面側において昇降可能に設けたことを特徴とする自動車ドア。
【発明の詳細な説明】
【技術分野】
【０００１】
本発明は、自動車ドアに関するものである。
【背景技術】
【０００２】
自動車ドアでは、日除け、車室内隠し、防虫等の目的で網を窓ガラスの車内面側に設置している。従来、窓ガラスの車内面側に網を設置するには、吸盤、磁石あるいは枠組した網を着脱可能に取り付けていた。
【０００３】
従って、網の取り付け取り外しの面倒な作業や取り外した網の収納場所を必要とする上に、窓ガラスの車内面側に網を設置した状態で外気取り入れ等で窓ガラスを昇降開閉することができないという問題を有してる。
【特許文献１】特開平７−３０９１３０公報
【発明の開示】
【発明が解決しようとする課題】
【０００４】
本発明の目的は、窓ガラスの車内面側において網を自動的に昇降可能とし、網が窓ガラスの車内面側に上昇していても窓ガラスを自由に昇降開閉可能とした自動車ドアを提供することである。
【課題を解決するための手段】
【０００５】
本発明は、この目的を達成するために、請求項１に記載の通り、自動車ドアの窓ガラスの面形状に沿った面形状を記憶し、前記窓ガラスの外形形状と同形状の網を自動車ドアのアウトパネルとインナパネルとの間の空間部に配置した自動巻き取り、巻き戻し装置により前記窓ガラスの車内面側において昇降可能に設けたことを特徴とするものである。
【発明の効果】
【０００６】
本発明によれば、窓ガラスの開閉状態に関係なく網を自動的に開閉することができ、しかも、網はドア本体内に自動的に格納されるため、従来のように窓ガラスから取り外す手間や取り外した網の収納場所を確保する必要がなくなるという効果を有している。
【発明を実施するための最良の形態】
【０００７】
以下本発明を実施するための最良の形態について図面に基づいて説明する。図１及び図２において、１はドア本体であり、アウタパネルとインナパネル及び窓ガラス２を開閉案内する枠状のドアフレーム３とから構成されている。
【０００８】
本発明は、窓ガラス２の面形状に沿った面形状を記憶し、前記窓ガラス２の外形形状と同形状の網４をドア本体１のアウトパネルとインナパネルとの間の空間部に配置した自動巻き取り、巻き戻し装置により前記窓ガラス２の車内面側において昇降可能設けた構成である。
【０００９】
前記ガラス２の外形形状と同形状の網４を窓ガラス２の面形状に沿った面形状を記憶する手段は、網４の上端縁に窓ガラス２の車両前後方向の面形状を記憶させた上縁枠５ａと、網４の側端縁に窓ガラス２の上下方向の面形状を記憶させた側縁枠５ｂとを装着した構成である。
【００１０】
前記網４を昇降開閉する自動巻き取り、巻き戻し装置は、図１、図２及び図３で示すように、ドア本体１のアウトパネルとインナパネルとの間の空間部に、車両前後方向に軸線を向けたロール６を回転可能に設け、網４の一端をロール６に取り付け、前記のロール６の一端に取り付けたスプロケット１１とサーボモータ７とをタイミングベルト８によって連係し、スイッチ９の操作により前記サーボモータ７を介してロール６を正逆回転して前記網４を自動巻き取り、巻き戻しするようにした構成である。
【００１１】
本発明は上記の通りの構造であるから、網４を使用していない時は、網４はロール６に巻き取られている。網４を使用するときは、スイッチ９を操作してロール６正転させることによりロール６に巻き取られていた網４は図２及び図３（イ）で示すように窓ガラス２の車内面側に沿って上昇し、上昇端では枠状のドアフレーム３に装着されている窓ガラス２のウェザーストリップ１０の隙間に押し込まれて上昇を停止し、窓ガラス２の面形状に沿って窓ガラス２を覆う。
【００１２】
本発明は、網４の上昇状態はドアフレーム３に装着されている窓ガラス２のウェザーストリップ１０の隙間に押し込まれているため、網４の上昇状態で窓ガラス２は網４に関係なく自由に開閉することができ、これにより、窓ガラス２の開閉状態の何れにおいても日除け、プライバシーを守る車室内隠し、防虫等が得られる他に、必要に応じて窓ガラス２を開けて自然風を取り入れ快適な車内る雰囲気を図ることができる。
【００１３】
窓ガラス２を網４にて覆う必要がなくなれば、スイッチ９の操作でロール６を逆転させることにより網４はロール６に巻き取られ、ドア本体１内に自動的に格納される。
【００１４】
このように本発明は、窓ガラス２の開閉状態に関係なく網４を自動的に開閉することができ、しかも、網４はドア本体１内に自動的に格納されるため、従来のように窓ガラスから取り外す手間や取り外した網の収納場所を確保する必要がなくなるという頗る利便性を有している。
【００１５】
また、構造も簡単であり、現状の構成のドア本体１内に組み込むことができドア本体１を設計変更することなく実現が可能である利点を有している。
【図面の簡単な説明】
【００１６】
【図１】本発明の斜視図
【図２】図１のＡ−Ａ線断面図
【図３】図２のＢ部拡大断面図
【図４】図２のＣＢ部拡大断面図
【符号の説明】
【００１７】
１       ドア本体
２       窓ガラス
３       ドアフレーム
４       網
５ａ     面形状を記憶させた上縁枠
５ｂ     面形状を記憶させた側縁枠
６       ロール
７       サーボモータ
８       タイミングベルト
９       スイッチ
１０       ウェザーストリップ
１１       スプロケット
【図１】
2008260353.tif 000003
【図２】
2008260353.tif 000004
【図３】
2008260353.tif 000005
【図４】
2008260353.tif 000006
(57)【要約】      （修正有）【課題】平鉋の刃を確実な角度で容易に研ぐことができる平鉋の刃研ぎ機を提供する。【解決手段】台９上に設けられた平板状の砥石８と、鉋刃６を保持する凹部を有する本体７は、鉋刃の上面を押さえる蝶番４と、蝶番４の上面を押さえる固定ボルト１と、鉋刃の研磨角度を調整する角度調整用ボルト２と、本体を移動可能にする車６とから構成される。【選択図】図１
2008260115.tif 000002
【特許請求の範囲】
【請求項１】
平鉋の刃を砥石で研ぐ時、およそ（３０度）の角度で研ぐ必要があり、丸研ぎなどに研ぐと木材が削れなくなっていた。
そこで研ぐ時に正確な角度で研げるような工具を発明した。
※丸研ぎとは刃の最先端部が部分的に丸くなり〔木材〕と刃先の角度が合わず刃が浮く状態。
※砥石の表面はあくまでも平坦に手入れをしておくことは基本。
【請求項２】
平鉋の刃は最初（１１０ｍｍ）位あった物が長期間使用すると次第に短くなり、（５０ｍｍ〜６０ｍｍ）位までなると手で握れなくなり、研ぎつらく、まだ充分使用出来る刃を、研ぎつらくなった為だけで使わなくなっていた。
【請求項３】
平鉋の刃を研ぐ時〔通常は中砥石から刃の仕上げ過程にはいる〕中砥石で研いだ角度と仕上砥石で研いだ角度が少しでも違うと肝心な刃先の接触部分が研げず切れが悪くなる。
【発明の詳細な説明】
【技術分野】
【０００１】  本発明は、平鉋（刃）を砥ぐ時に使用すると簡単に一定な角度で研げる工具。
平鉋（刃）に関する物であり、平鉋（刃）を砥石で  ほぼ、３０度の角度で研ぐ必要があり。その時、簡単に研げる工具を発明した。
【背景技術】
【０００２】  従来から、平鉋（刃）研ぎが一人前に研げる様になるのに数年かかりプロの腕の向上のひとつとされています。
（一部のプロでは替え刃式鉋を使用している）
そこで、いかに平鉋の刃研ぎが難しいかがわかる。
また、平鉋の刃を長く使い込むと刃が短くなり手で握りつらく、もっと研ぎにくくなっていく。
【発明の開示】
【発明が解決しようとする課題】
【０００３】  最初（新刃）では長さ（１１０ｍｍ）位あった物が使い込むと（５０ｍｍ〜６０ｍｍ）位に短くなる。そうすると、手で握りつらく、研ぎにくくなっていく。
【問題を解決するための手段】
【０００４】  この難問を解決するため（図）の様に研ぐ角度が一定し、しかも簡単に研ぐことが出来る工具を発明したものである。
【発明の効果】
【０００５】  新刃でも、使いこんで短くなった刃でも容易に研ぐ事が出来て、そのうえ製品の品質向上と作業の能率アップにもつながる。
【０００６】
【表１】
2008260115.tif 000003
【図面の簡単な説明】
【図１】本発明側面図。
【図２】平鉋の研ぎ機の説明図。
【図３】平鉋の研ぎ機の全体図。
【図１】
2008260115.tif 000004
【図２】
2008260115.tif 000005
【図３】
2008260115.tif 000006
(57)【要約】【課題】    ドライバーの使用を効率的に行う、スプリングドライバーを提供する。【解決手段】    グリップ（１）内にスプリング（２）を設けたことを特徴とする。【選択図】図１
2008260116.tif 000002
【特許請求の範囲】
【請求項１】
スプリング押し台（３）と連結したドライバー軸（４）が、グリップ（１）内部から出入りするようにしたうえで、グリップ（１）内部にスプリング（２）を組み込み、ドライバー軸（４）の出入りに圧力が架かる仕組みのスプリングドライバー。
【発明の詳細な説明】
【発明の詳細な説明】
【技術分野】
【０００１】  この発明は、ネジを回し易くする為に、スプリングを設けたドライバーに関するものである。
【背景技術】
【０００２】  従来よりドライバーを使用するとネジを回す際にドライバー軸からネジに加える圧力の加減が必要で、加減が悪いとドライバー軸先端がネジ溝から離れてしまったりしていた。
【発明が解決しようとする課題】
【０００３】  ネジを回す際に力の加減によりドライバー軸先端がネジ溝から離れてしまい円滑な作業が出来なかったり、それによりネジ溝が削れたりしていた。
本発明は、以上の欠点を解決する為になされたものである。
【課題を解決するための手段】
【０００４】  グリップ（１）内部にスプリング（２）を設け、グリップ（１）部から出入りするドライバー軸（４）に圧力がかかる仕組みにする。さらに、ドライバー軸（４）の動きを円滑にする為にスプリング押し台（３）を設ける。
本発明は、以上の構成よりなるスプリングドライバーである。
【発明を実施するための最良の形態】
【０００５】  以下、本発明の実施の形態を説明する。
（イ）グリップ（１）内中心に円柱状の空洞を設け、その中心からドライバー軸（４）が通るくらいの空洞を設ける。
（ロ）ドライバー軸（４）にスプリング押し台（３）をとりつける。
（ハ）グリップ（１）内の空洞にスプリング（２）及びドライバー軸（４）にとりつけたスプリング押し台（３）を組み込む。このとき、スプリング（２）は弱すぎず、人の力で何とか押せるくらいの弾力のものを使用する。
本発明は、以上の構成よりなっている。
本発明を使用するときは、従来のものと同じ使用方法で次のような効果がある。ネジ（５）を回す際に圧力をかける事によってスプリング（２）が縮まり、グリップ（１）を押しつける力が多少弱まってもスプリング（２）の伸縮によってネジに圧力がかかり続けるため、ネジ溝からドライバー軸（４）先端が離れにくくなる。
【発明の効果】
【０００６】  本発明を使用することによって、ネジ類を円滑に回すことができ、尚且つ、ネジを痛め難くなる。
【図面の簡単な説明】
【図１】本発明の分解斜視図
【図２】本発明の断面図
【図３】本発明の使用状態を示す断面図
【符号の説明】
１  グリップ
２  スプリング
３  スプリング押し台
４  ドライバー軸
５  ネジ
６  ネジ頭部
【図１】
2008260116.tif 000003
【図２】
2008260116.tif 000004
【図３】
2008260116.tif 000005
(57)【要約】【課題】雑妨素子を弾性体で保護することによってその高寿命化を図ることができる電動工具における雑妨素子の保護構造を提供すること。【解決手段】駆動源である電動モータと、該電動モータからの動力を先端工具に伝達する動力伝達部をハウジング１内に収容し、前記電動モータからの雑音の発生を防ぐための雑妨素子７を設けて成る電動工具において、前記雑妨素子７を弾性体８によって弾性支持する。本発明によれば、雑妨素子７を弾性体８によって弾性支持したため、電動工具使用時に発生する振動を弾性体８の弾性変形によって吸収し、雑妨素子７を振動から保護してその高寿命化を図ることができる。【選択図】図２
2008260103.tif 000002
【特許請求の範囲】
【請求項１】
駆動源である電動モータと、該電動モータからの動力を先端工具に伝達する動力伝達部をハウジング内に収容し、前記電動モータからの雑音の発生を防ぐための雑妨素子を設けて成る電動工具において、
前記雑妨素子を弾性体によって弾性支持したことを特徴とする電動工具における雑妨素子の保護構造。
【発明の詳細な説明】
【技術分野】
【０００１】
本発明は、電動モータによりビットやソケット等の先端工具に回転力又は回転打撃力を与えてねじ或いはボルトの締め付け、コンクリート等の部材への穴あけ等の作業を行うための電動工具における雑妨素子の保護構造に関するものである。
【背景技術】
【０００２】
近年、電動工具に対する小型・軽量化の要求が強く、このような要求に応えるために様々な機構部品や電子部品の小型化、高性能化及び高耐久性が求められている。
【０００３】
特に、動力の発生源である電動モータからの雑音（ノイズ）は周辺部品の誤動作の原因となることから、このような不具合の発生を防止するために雑妨素子が電動モータの近傍若しくは電動モータと電子部品間に設置されている。
【発明の開示】
【発明が解決しようとする課題】
【０００４】
しかしながら、前記雑妨素子が設置される箇所はスイッチや電源部と連結するための配線が密集しており、収納スペースを確保することは非常に困難であった。
【０００５】
又、ドライバドリルや振動ドライバドリル、インパクトドライバ等の電動工具では、使用時に大きな振動が発生することから、その振動により収納されている雑防素子が収納部内壁との摩擦によって傷付いたり、早期に磨耗する等の問題が発生していた。
【０００６】
本発明は上記問題に鑑みてなされたもので、その目的とする処は、雑妨素子を弾性体で保護することによってその高寿命化を図ることができる電動工具における雑妨素子の保護構造を提供することにある。
【課題を解決するための手段】
【０００７】
上記目的を達成するため、本発明は、駆動源である電動モータと、該電動モータからの動力を先端工具に伝達する動力伝達部をハウジング内に収容し、前記電動モータからの雑音の発生を防ぐための雑妨素子を設けて成る電動工具において、前記雑妨素子を弾性体によって弾性支持したことを特徴とする。
【発明の効果】
【０００８】
本発明によれば、雑妨素子を弾性体によって弾性支持したため、電動工具使用時に発生する振動を弾性体の弾性変形によって吸収し、雑妨素子を振動から保護してその高寿命化を図ることができる。
【発明を実施するための最良の形態】
【０００９】
以下に本発明の実施の形態を添付図面に基づいて説明する。
【００１０】
図１は本発明に係る雑妨素子の保護構造を備えた電動工具の破断側面図、図２は同電動工具の雑妨素子部分の拡大断面図である。
【００１１】
図１に示す電動工具は、ハウジング２内に駆動源としての電動モータ５と、該電動モータ５の回転を減速して先端工具９に伝達する動力伝達部である減速機構部６、電動モータ５に電力を供給する蓄電池２等を収容して構成されている。
【００１２】
而して、蓄電池２からの電力は、スイッチ３と電動モータ５を連結するリードワイヤー４を介して電動モータ5へ供給され、これによって電動モータ５が駆動されるが、電動モータ５が駆動されると、該電動モータ５より雑音（ノイズ）が発生し、発生した雑音（ノイズ）はスイッチ３の誤動作等の原因となる。このため、図２に示すように、電動モータ５とスイッチ３とを連結するリードワイヤー４に雑妨素子７が設けられているが、本実施の形態では、雑妨素子７は、弾性体８によって被覆されて弾性支持されている。
【００１３】
而して、前述のようにドライバドリルや振動ドライバドリル、インパクトドライバ等の電動工具にあっては、使用時に大きな振動が発生するが、本実施の形態では、図２に示すように、雑妨素子７を弾性体８によって弾性支持したため、振動は弾性体８の弾性変形によって効果的に吸収され、雑妨素子７への振動伝播が遮断される。このため、雑妨素子７は振動に対して有効に保護され、その高寿命化が図られる。
【００１４】
尚、弾性体８としては、ウレタンゴム等のゴム部品を使用しても良いが、スポンジ等を用いれば組立性が向上し、コストダウンも図ることができて好都合である。
【図面の簡単な説明】
【００１５】
【図１】本発明に係る雑妨素子の保護構造を備えた電動工具の破断側面図である。
【図２】本発明に係る雑妨素子の保護構造を備えた電動工具の雑妨素子部分の拡大断面図である。
【符号の説明】
【００１６】
１      ハウジング
２      蓄電池
３      スイッチ
４      リードワイヤー
５      電動モータ
６      減速機構部（動力伝達部）
７      雑妨素子
８      弾性体
９      先端工具
【図１】
2008260103.tif 000003
【図２】
2008260103.tif 000004
(57)【要約】      （修正有）【課題】雨中時の駐輪車にかぶせた傘が、風で飛ばされぬように、傘と自転車を連結させるための自転車用簡易傘捕捉器具を提供する。【解決手段】ワイヤー２を内蔵するコードリール３の側部に螺旋リング４をを設けて、ワイヤー２の先端に締め具１を設ける。自転車のフレーム体に締め具で取り付け、螺旋リング４で傘の握柄を捕捉して、傘と自転車を連結させる。【選択図】図１
2008260500.tif 000002
【特許請求の範囲】
【請求項１】
ワイヤー（２）を内蔵したコードリール（３）の側部に、螺旋リング（４）を設ける。
【請求項２】
ワイヤー（２）の先端に締め具（１）を設ける。
傘と自転車を連結させるための自転車用簡易傘捕捉器具である。
【発明の詳細な説明】
【技術分野】
【０００１】  本発明は、雨中時の駐輪車にかぶせた傘が、風で飛ばされないように傘と自転車を連結させるための自転車用簡易傘捕捉器具である。
【背景技術】
【０００２】  従来、ハンドルに取り付ける傘立て器はあったが、本発明のようなワイヤーを使用した簡易な自転車用傘捕捉器具はなかった。
【特許文献１】
【発明の開示】
【発明が解決しようとする課題】
【０００３】  雨の日、停めている自転車がぬれないようにと、上から傘をかぶせていても、しばしば風で飛ばされたり、ずり落ちることがあった。【０００４】  市販の自転車用傘立て器は金属加工品で価格も高かった。【０００５】  本発明は、これらの欠点を解消するためになされたものである。
【課題を解決するための手段】
【０００６】  ワイヤー（２）を内蔵したコードリール（３）の側部に螺旋リング（４）を設ける。【０００７】  ワイヤー（２）の先端に締め具（１）を設ける。【０００８】  本発明は、以上の構成よりなる自転車用簡易傘捕捉器具である。
【発明の効果】
【０００９】  雨中での外出時、駐輪車に傘をかぶせて握柄を螺旋リングで捕捉しておくと、風で飛ばされず、サドルやハンドルがぬれないため快適に走行できる。【００１０】  自転車を長時間、屋根のない場所に放置しておく場合も、傘をかぶせて握柄を螺旋リンクで捕捉しておくと、傘が車体に密着してずり落ちず、機械の心臓部をサビから守ることができる。【００１１】  市販の傘立て器に比べて、構造が単純で安価に製造できる。
【実施例】
【００１２】  本発明の自転車用簡易傘捕捉器具を使用するときは、締め具（１）を自転車のフレーム体に取り付ける。【００１３】  ワイヤー（２）を引っぱり出し、先端の螺旋リング（４）に、かぶせた傘の握柄を通して捕捉する。（球形やストレート握柄の場合、付装のヒモ類を螺旋リングの隙間部分から通す）【００１４】  大きい傘の場合、傘軸が長いため握柄ではなく、傘軸の部分を螺旋リンク（４）で捕捉しておくほうが傘が密着して動かない。【００１５】  傘を外すときは、螺旋リンク（４）から握柄を抜くだけでよい。ワイヤー（２）は自動的に巻き戻される。【００１６】  握柄を捕捉したまま自転車に乗るときは、傘軸を胸に当てていればずり落ちないため、両手でハンドルが握れて安心である。傘も飛ばされない。
【図面の簡単な説明】
【００１７】
【図１】  自転車用傘捕捉器具の斜視図。
【図２】  自転車にかぶせた傘の捕捉図。
【図３】  握柄捕捉部分の拡大図。
【符号の説明】
【００１９】  １．締め具
２．ワイヤー
３．コードリール
４．螺旋リング
【図１】
2008260500.tif 000003
【図２】
2008260500.tif 000004
【図３】
2008260500.tif 000005
(57)【要約】【課題】本発明は、渋滞時に自分が運転する車の前を走る車が動いた時に警報機により、前を走る車との距離の変動を知らせるための自動車車間距離変動警報装置を提供する。【解決の手段】自分が運転する車に発信機を取り付け、発信機を介して自分が運転する車の前を走る車にセンサーを当てて前を走る車が発進して車間距離が変動した時に自分が運転する車に取り付けた警報機が鳴り前を走る車が発進した事を自分の運転者に知らせる事を特徴とする自動車車間距離変動警報装置。【選択図】図２
2008260499.tif 000002
【特許請求の範囲】
【請求項１】
自分が運転する車に発信機を取り付け、発信機を介して自分が運転する車の前を走る車にセンサーを当てて前を走る車が発進して車間距離が変動した時に自分が運転する車に取り付けた警報機が鳴り前を走る車が発進した事を自車の運転者に知らせる事を特徴とする自動車車間距離変動警報装置。
【発明の詳細な説明】
【技術分野】
【０００１】  本発明は、渋滞時に自分が運転する車（以下自車と言う）の前を走る車（以下前車と言う）が動いた時に警報機により、前車との距離の変動を知らせるための自動車車間距離変動警報装置に関するものである。
【背景技術】
【０００２】従来、高速道路等において前車の後ろに適当な間隔を設けて、自車が停まっていて、前車の発進するのを待っていた。
【発明の開示】
【発明が解決しようとする課題】
【０００３】  そのために、次のような問題点があった。
（イ）渋滞による疲れや、前車がいつ動くか解らないため自車の運転者は神経が休まらず、ストレスが溜まってしまう。
（ロ）居眠りや脇見で前車が発進している事に自車の運転者が気付かずに、後続車の迷惑と渋滞緩和の遅れを生んでいた。
（ハ）トラックやタクシーの待ち時間に落ち着いて休憩出来なかった。
本発明は以上の問題点を解決しようとするものである。
【課題を解決するための手段】
【０００４】自車に発信機を取り付け、発信機を介して前車にセンサーを当てて前車が発進して車間距離が変動した時に、自車の警報機が鳴り前車が発進した事を自車の運転者に知らせる事を特徴とする自動車車間距離変動警報装置である。
【発明の効果】
【０００５】本発明は、前車が動いた時に自車の運転者に警報機で知らせるため、前方に常に気を配る必要がなく落ち着いて休憩出来、ストレス緩和にもなる。
また前車が発進した時、すぐに自車も発進する事が出来、後続車の迷惑防止、渋滞の速やかな解消に役立つ。
【発明を実施するための最良の形態】
【０００６】以下、本発明の実施の形態を説明する。
（イ）自車の前方に発信機（２）を取り付け、自車（６）の車内に距離自動調節回路（１）とスピーカー（３）の付いたコントローラー（１０）を取り付け電源（７）に接続する。
（ロ）なお前車（５）にセンサー（４）を当てて，自車（６）に取り付けた距離自動調節回路（１）で前車（５）との車間距離、車内におけるブザー（９）の音量調節、さらに車間におけるセンサー（４）の鳴るまでの時間などを自車の運転者（１２）が調節する。
本発明は以上の構成からなる自動車間距離変動警報装置である。
以下、使用例について説明する。
先ず、コントローラー（１０）を利用して、自車の運転者（１２）が渋滞や待ち時間に先に述べた前車（５）との車間距離、車内におけるブザー（９）の音量調節、センサー（４）が鳴るまでの時間などを調節した後に運転する。
特に高速道路等において、交通事故、年末年始、ゴールデンウィーク等におきる渋滞においては、前車（５）と自車（６）とを適当な間隔をもって渋滞の解消を待っているが、時によっては車間距離をとって、５分、１０分、あるいは３０分になる場合もある。
その時、運転手は上記に述べたような問題点を得る事になる。したがって、前車（５）が動いた時に、その旨を自車（６）の運転者に知らせる事によって、そうした問題点が一挙に解決される。
本発明は、高速道路においての一例を述べたが、一般道路等においても同じである。
本発明に関して従来、忘れ物防止や子供の迷子防止のために、一定の距離を離れるとブザーがなる警報機が知られているが、それには発信機と音声発生機と必ず２つの部品を要して、必ず一定の距離から離れた時に効果があるのに対して、本発明は距離自動調節回路の本体１つで発信及びブザー音の発生が出来る事が大きな特徴である。
【図面の簡単な説明】
【０００７】
【図１】本発明の説明図
【図２】本発明の機能的説明図
【図３】本発明の使用状態を示す説明図
【符号の説明】
【０００８】  １  距離自動調節回路
２  発信機
３  スピーカー
４  センサー
５  前車
６  自車
７  電源
８  前車が動いた状態
９  ブザー
１０  コントローラー
１１  前車が動いた状態
１２  自車の運転者
【図１】
2008260499.tif 000003
【図２】
2008260499.tif 000004
【図３】
2008260499.tif 000005
(57)【要約】【課題】チュウブ容器の開封キャップに内容物付着防止の解決。【解決手段】開封キャップピン側を皮膜で覆う。【選択図】図２
2008260572.tif 000002
【特許請求の範囲】
【請求項１】
チュウブ容器口、封印幕開封キャップ、内容物付着防止膜。
【発明の詳細な説明】
【技術分野】
【０００１】チュウブ容器のかいふうのため、キャップに開封ピンが一体化して加工されている。開封の際に内容物がキャップのピンに付着することが多い。【０００２】キャップのピンに開封の際の内容物の付着は不衛生の感がある。【０００３】付着防止のため、キャップのピン側にビニール皮膜を被せる。
【発明の開示】
【発明が解決しようとする課題】
【０００４】チュウブ容器の開封の際の内容物のピンに付着する課題。
【課題を解決するための手段】
【０００５】開封ピン側にビニール皮膜を被せ、内容物が直接、ピンに付着しないようにして、内容物が付着したビニール皮膜を簡単に外せるようにした。
【図面の簡単な説明】
【０００６】
【図１】チュウブ容器、開封ピン一体化キャップ。
【図２】開封ピン側、ビニール皮膜被服キャップ。
【符号の説明】
【０００７】１、キャップ、ピン側
２、キャップ容器側
３、ピン被服ビニール膜
【図１】
2008260572.tif 000003
【図２】
2008260572.tif 000004
(57)【要約】【課題】食品パックを開封した後、食品パックを開封前に近い状態にして、食品を保存する役目を果たすという差し込み部付き食品パック。【解決手段】食品パックに於いて、上側フィルムの一端を二重の袋状にした係止部および、四角の一角を二重にした三角形の袋状の係止部を、下側の縁に着脱自在としたことを特徴とした差し込み部付き食品パック。【選択図】図３
2008260574.tif 000002
【特許請求の範囲】
【請求項１】
食品パックに於いて、上側のフィルムの一端を二重に袋状にした係止部および、四角の一角を二重にした三角形の袋状の係止部を、下側の縁に着脱自在としたことを特徴とした差し込み部付き食品パック。
【発明の詳細な説明】
【技術分野】
【０００１】  本発明は、食品パックを開封した後、食品パックを開封前に近い状態にして食品を保存する役目を果すという差し込み部付き食品パックに関するものである。
【背景技術】
【０００２】  従来、食品パックを開封した後、残りの食品を保存する場合、上側フィルムは、めくれ上がったままになる。
【発明の開示】
【発明が解決しようとする課題】
【０００３】  そのために、次のような問題点があった。
（イ）開封した状態で置いておくと、雑菌などが混入しやすいので、不衛生であった。
（ロ）また、空気中に中身が触れるので、冷蔵庫の中で変色したり乾燥したりしてしまっていた。
（ハ）また、開封されているので、味の品質が落ちることは当然である。
（ニ）また、開封されていると、食品に冷蔵庫の臭いなどがついて、品質を損い、自も臭いを発散させて、他の食品の品質を損ねていた。
（ホ）また、開封された状態のまま放置することは、上記の（イ）〜（ニ）の問題を発生するので、中身を他の密封容器に移し変えることや、ラップで包むことなどがあるが、それらは面倒さがある。
本発明は、以上の問題を解決しようとするものである。
【課題を解決するための手段】
【０００４】  食品パックに於いて、上側のフィルムの一端を二重に袋状にした係止部および、四角の一角を二重にした三角形の袋状の係止部を、下側の縁に着脱自在としたことを特徴とした差し込み部付き食品パック。
【発明の効果】
【０００５】  本発明は、食品パックを開封した後も、雑菌などが混入しにくくなるので、衛生的である。また空気中に中身が触れないので、冷蔵庫の中で変色、乾燥しにくくなる。また、味の品質も落ちにくくなる。また、食品に冷蔵庫の臭いがついて品質が落ちることも少なくなり、自らの臭いを発散させて他の食品の品質を損ねることも少なくなる。また、中身を他の密封容器に移し変えることや、ラップで包むという面倒さがなくなる。
核家族化、一人暮らしが増えた今日、食品パックの中身を一度に使い切られずに、残った食品を衛生的に、品質を落とさず、手間をかけずに保存することが出来るようになる。
【発明を実施するための最良の状態】
【０００６】  以下、本発明の実施の形態について説明する。
（イ）食品パックには、豆腐や肉、魚などの加工食品などを入れる立体的容器、およびハムやベーコンなどの食品を包む平面的な真空パックなどがあり、本発明については、以下パックと称す。
（ロ）豆腐などの立体的なパック（Ａ）は、フィルム（１）と中身を入れる容器（２）に分かれていて、容器の縁（３）にフィルム（１）が熱溶着されている。中身を取り出す時は、フィルム（１）の一方をはがして必要な量を取り出す。この場合、フィルム（１）は、めくれ上がった状態（４）である。
（ハ）その状態で冷蔵庫で保存すると、上記で述べた数々の問題点を発生する。
そこで、本発明の次の構成を有するものである。
（ニ）フィルム（１）の短い一片（５）を二重にして、両側のみを熱溶着（６）する。
したがって、袋状の係止部（７）を形成する。
（ホ）ハムやベーコンなどの平面的な食品を包む真空パックなどのパック（Ｂ）は、上側フィルム（８）と中身が入る下側フィルム（９）に分かれていて、下側フィルム（９）の縁に上側フィルム（８）が熱溶着されている。中身を取り出す時は、フィルム（８）の一方をはがして必要な量を取り出す。この場合、フィルム（８）は、めくれあがった状態（１３）である。
（ヘ）その状態で冷蔵庫に保存すると、上記で述べた数々の問題点を発生する。
そこで、本発明の次の構成を有するものである。
（ト）平面的パック（Ｂ）に於いては、四角の一角の部分に三角形状に二重にして、斜辺二辺（１０）のみを熱溶着する。したがって、三角形の袋状の係止部（１１）を形成する。
本発明は、以上のような構成からなるものである。以下使用方法について説明する。
立体的パックに於いては、パックを開封した後、フィルム（１）はめくれあがった状態（４）である。その時、残った食品を保存する際、フィルムの袋状の係止部（７）に容器の縁（３）を差し込む。めくれあがっていたフィルム（４）が開封前の元の位置に納まるので、食品が空気に触れることが少なくて済む。
平面的パック（Ｂ）に於いては、パックを開封した後、食品を保存する際、上側フィルムの三角形袋状の係止部（１１）に下側フィルムの縁（１２）を差し込む。結果、めくれあがっていたフィルム（１３）が開封前の元の位置に納まるので、食品が空気に触れることが少なくて済む。
このように開封後のめくれあがったフィルムを着脱自在にすることが出来るようになる。
この結果、食品を衛生的に、品質を損なわず、手間をかけずに保存することが出来るようになる。
【図面の簡単な説明】
【０００７】
【図１】本発明の斜線図
【図２】従来の立体容器の使用状態の説明図
【図３】本発明の使用説明図
【図４】本発明の部分拡大図
【図５】本発明の斜線図
【図６】本発明の使用説明図
【図７】本発明の裏面からみた部分拡大図
【符号の説明】
【０００８】    Ａ  立体的なパック
１  フィルム
２  容器
３  容器の縁
４  めくれあがったフィルム
５  フィルムの一辺
６  熱溶着した部分
７  袋状の係止部
Ｂ  平面的なパック
８  上側フィルム
９  下側フィルム
１０  熱溶着した斜辺
１１  三角形袋状の係止部
１２  下側フィルムの縁
１３  めくれあがったフィルム
１４  中身
【図１】
2008260574.tif 000003
【図２】
2008260574.tif 000004
【図３】
2008260574.tif 000005
【図４】
2008260574.tif 000006
【図５】
2008260574.tif 000007
【図６】
2008260574.tif 000008
【図７】
2008260574.tif 000009
(57)【要約】【課題】  荷物を積載したパレットをフォ−クリフトで移動する場合、フォ−クリフトが移動できる範囲外に移動することができない。【解決手段】  パレットの下部に、持ち上げ梁を差し込み、この先端を吊り上げ、移動することにより、より広範囲に移動することができる。これを、より安全に行うために、吊り上げ梁に嵌合した、フックは荷重により傾斜する形態である、これは吊り上げ部、フックに、荷重により、嵌合部で制止せしめる力が働き、即ち、吊り上げ部で吊り上げられた、持ち上げ梁は、荷重により、制止し、安全にパレットを移動すことができる。【選択図】図３
2008260570.tif 000002
【特許請求の範囲】
【請求項１】
パレット持ち上げ梁の先端を吊り上げる、吊り上げ梁に、下部の、嵌合部と、ロ−プ等をかける、上部が吊り上げ梁に対して、直角一直線状でない、フックと、吊り上げ部が自由にスライド移動できる状態に嵌合した、荷物運搬用パレット吊り上げ補助具。
【発明の詳細な説明】
【技術分野】
【０００１】  本発明は、荷物運搬用パレットを、吊り上げる補助具に関する。
【背景技術】
【０００２】荷物を積載したパレットを、フォ−クリフトで運搬移動するのは周知のとうりである。【０００３】フォ−クリフトによる従来の方法では、パレットの移動は、フォ−クリフトが移動できる範囲に限られ、また、上限も限られる。【０００４】本発明は、荷物を積載したパレットを、フォ−クリフトが移動できない場所、また、持ち上げ限度を越えた高所にも、パレットをクレ−ン等で吊り上げ移動しようとするものである。【０００５】本発明は、上記の目的を達成するために、パレットの下部に持ち上げ梁を差し込み、その先端を吊り上げ、移動するものである。【０００６】これを実施するには、持ち上げ梁の左右の位置の幅をパレットの大小に合わせて自由に調整できること、及び、パレットを安全に吊り上げるために持ち上げ梁の位置が、荷重により、変わらないことが要求される。【０００７】次に、本発明の、実施の形態を、図面により説明する。【０００８】パレット５の下部に差し込んだ持ち上げ梁１の先端に、吊り上げ梁２に、パレットの、大小、及び、積載物の重心に合わせて自由にスライド移動できる状態に嵌合した、吊り上げ部３の、下部の穴を、嵌合せしめ、吊り上げ部３と共に嵌合移動する、フック４にロ−プ等をかけて吊り上げ、移動するものである。【０００９】次に、パレット５を安全に吊り上げるために、パレット５の下部に差し込んだ、持ち上げ梁、１の位置が荷重により、位置が変わるのを防ぐ必要がある。【００１０】そのために、フック４の下部の嵌合部と、ロ−プ等をかける上部は、吊り上げ梁２に対して、直角方向に一直線状でない形状になっている、故に、フック４は、荷重のにより、傾斜しようとする力がはたらき、スライド移動するのを制止する、即ち、持ち上げ梁１を、荷重の力により、移動を制止し、パレット５を安全に吊り上げ移動しようとするものである。
【発明の効果】
【００１１】  上記のごとこく、本発明は、荷物を積載したパレットを、フォ−クリフトで移動できない場所に、安全に移動することができる。
【図面の簡単な説明】
【００１２】
【図１】  本発明の実施形態の片方を示す正面図
【図２】  同、側面図
【図３】  同、斜視図
【符号の説明】
【００１３】１  持ち上げ梁
２  吊り上げ梁
３  吊り上げ部
４  フック
５  パレット
【図１】
2008260570.tif 000003
【図２】
2008260570.tif 000004
【図３】
2008260570.tif 000005
(57)【要約】      （修正有）【課題】被挿入体の収着が極めて簡単に可能であると共に、その形状や大きさに関係なく使用可能なアルバムを提供する。【解決手段】写真等情報媒体の挿着固定の方法として、それらを台紙３とそれと一体化された透明薄板１の間隙に挿入する形態をとった。その結果、挿着行為が、非常に簡単となり、また、挿着物の形状、大小にかんする制約が大幅に緩和された。【選択図】図１
2008260255.tif 000002
【特許請求の範囲】
【請求項１】
適寸形状に裁断せる紙面の左右両端部もしくは上下両端部に、透明薄板を中開対向状態として固着し、該透明薄板の中開部を上方に開くことにより、写真等被挿体の挿入出が容易に可能としたことを特徴とする簡単入出式形状自在型アルバム兼情報等分類ノート。
尚、適寸形状には、例えば次のようなものが含まれる。円形、楕円形、ハート形、菱形など。
尚、中開状態とする左右若しくは上下の透明薄板について、その何れか一方を不透明紙体とする場合をも含むものとする。
【発明の詳細な説明】
【技術分野】
【０００１】アルバム・資料整理を目的としたノートの構成法等。
【背景技術】
【０００２】  アルバムに写真等を収着する場合、接着剤の使用とか透明袋への挿入等、やや面倒な行為が必要であるとともに、被挿入体の形状や大きさには一定の制約があった。
【発明が解決しようとする課題】
【０００３】  被挿入体の収着が極めて簡単に可能であると共に、その形状や大きさに関係なく使用可能なものを創作したい。
【課題を解決するための手段】
【０００４】  透明薄板を適寸方形紙体の左右もしくは上下に中部開放状態として着設し、該紙体と、透明薄板の間に、挿入体を挟め込む構成とした。
【発明を実施するための最良の形態】
【０００５】  本案は図示するように挿入体を挟着するために、左右もしくは上下に、斜線にて示す透明薄板を固着設定した構成となっている。したがって挿入体は、その中央の開空部より、挿入出が簡単かつ容易に可能である。
つぎに図面によりその構成を説明する。
第１図は本案一実施例を示すもので、１は透明かつ半硬質のプラスチック薄板、該板は本体への被挿物の挿入を容易ならしめるため、向かって左側をやや広幅に、どう右側はやや小幅に形成されている。２は中開部、３は方形台紙、４は綴じしろ、５は綴じ穴である。
第２図は本案を横方向に構成したもので、挿入行為を容易ならしめるため、上部透明薄板をやや短幅に、下部のそれはやや広幅に構成されている。
また図中の点線部分は、挿入体の形状・枚数などを仮想的に示したもので、第１図に示すように縦型の場合いはやや小形、第２図に示すように横型の場合はやや大型の挿入体の場合に適している。
また挿入体は見出し部分だけを露見可能状態とし、それ以外の部分は重積状態としてもよく、そのような使用の場合は貯留件数の増加に役立つ。
【発明の効果】
【０００６】  本案は上記のように構成されているから、挿入体はその形状や大小に関係なく、容易に方形台紙と透明薄板の間隙に挿入貯積され保管されるので情報管理に極めて有効である。また方形台紙を色分けしておけば、情報分類にも役立つ。
【図面の簡単な説明】
【符号の説明】
図１は透明薄板を縦方向に着設した場合、図２は透明薄板を横方向に着設した場合の構成を示している。点線は使用時、挿入体の仮定位置を示している。
１は透明薄板、２は中開部、３は方形台紙、４は綴じ代、５は綴じ穴、６は透明薄板と方形台紙の接着部位を示す。第３図は適寸形状体の実施例を示したものである。
【図１】
2008260255.tif 000003
【図２】
2008260255.tif 000004
【図３】
2008260255.tif 000005
【手続補正書】
【提出日】平成19年7月3日(2007.7.3)
【手続補正１】
【補正対象書類名】明細書
【補正対象項目名】全文
【補正方法】変更
【補正の内容】
【発明の詳細な説明】
【技術分野】
【０００１】  アルバム・資料整理を目的としたノートの構成法等。
【背景技術】
【０００２】  アルバムに写真等を収着する場合、接着剤の使用とか透明袋への挿入等、やや面倒な行為が必要であるとともに、被挿入体の形状や大きさには一定の制約があった。
【発明が解決しようとする課題】
【０００３】  被挿入体の収着が極めて簡単に可能であると共に、その形状や大きさに関係なく使用可能なものを創作したい。
【課題を解決するための手段】
【０００４】  透明薄板を適寸方形紙体の左右もしくは上下に中部開放状態として着設し、該紙体と、透明薄板の間に、挿入体を挟め込む構成とした。
【発明を実施するための最良の形態】
【０００５】  本案は図示するように挿入体を挟着するために、左右もしくは上下に、斜線にて示す透明薄板を固着設定した構成となっている。したがって挿入体は、その中央の開空部より、挿入出が簡単かつ容易に可能である。
つぎに図面によりその構成を説明する。第１図は本案一実施例を示すもので、１は透明かつ半硬質のプラスチック薄板、該板は本体への被挿物の挿入を容易ならしめるため、向かって左側をやや広幅に、どう右側はやや小幅に形成されている。２は中開部、３は方形台紙、４は綴じしろ、５は綴じ穴である。
第２図は本案を横方向に構成したもので、挿入行為を容易ならしめるため、上部透明薄板をやや短幅に、下部のそれはやや広幅に構成されている。
また図中の点線部分は、挿入体の形状・枚数などを仮想的に示したもので、第１図に示すように縦型の場合はやや小形、第２図に示すように、横型の場合はやや大型の挿入体に適している。
また挿入体は見出し部分だけを露見可能状態とし、それ以外の部分は重積状態としてもよく、そのような使用の場合は貯留件数の増加に役立つ。
【発明の効果】
【０００６】  本案は上記のように構成されているから、挿入体はその形状や大小に関係なく、容易に方形台紙と透明薄板の間隙に挿入貯積され保管されるので情報管理に極めて有効である。また方形台紙を色分けしておけば、情報分類にも役立つ。
【図面の簡単な説明】
【０００７】
【図１】  方形台紙上に透明薄板を縦方向に着設した場合の実施例を示している。
【図２】  方形台紙上に透明薄板を横方向に着設した場合の実施例を示している。
【図３】  方形台紙を円形、楕円形、ハート形、横ダイヤ形とした場合の実施例を示している。
【符号の説明】
【０００８】  １は透明薄板、２は中開部、３は方形台紙、４は綴じ代、５は綴じ穴、６は透明薄板と方形台紙の接着部位を示す。
(57)【要約】      （修正有）【課題】用紙を三つ折りにする時に用いる折具で、用紙を差し込み折るだけで誰でも簡単に三つ折りにすることが出来る。折る時には折る幅が定められているので用紙のズレが分かる特徴があり、その折具が封筒に入れるときにガイドと活用できる。【解決手段】三つ折具本体は、薄い合成樹脂材で形成し、一部が折り返しされた折具であり、折り返しされた部分に文書の下方部分を挟み、挟みこんだ部分を押さえて前方へ二回転させることで２つの折り目を形成させる。【選択図】図３
2008260256.tif 000002
【特許請求の範囲】
【請求項１】
三つ折具本体は、薄い合成樹脂材を用し、用紙を三つ折に出来る一部折り返しされた折具を用、折り返しされた部分に文書の下方部分を挟み、挟みこんだ部分を押さえて前方へ二回転させることで２つの折り目を形成させる簡単な折具。
【請求項２】
「請求項１」の折具を用いて三つ折にした文書をそのまま封筒に差し込み、文書を封筒に収めた後に折り具を引き抜くことで封入れ作業がはかどり、折具か挿入ガイド板として使える簡単な折具。
【発明の詳細な説明】
【技術分野】
【０００１】具体例としては近年Ａ４紙がビジネス文書で使用される事例が多い。又、そのＡ４サイズ用紙を三つ折にして使用される封筒は長形３号（定型郵便用）が多い。
三つ折りにした文書を封筒に入れる為の作業は、封筒の差し込口を開けてから三つ折にした文書を差し込んで作業を終えていた。しかし、折った文書を封筒入れる時に差し込み口を開ける作業が文書の三つ折を山勘で折ること同様に課題であった。
【背景技術】
【０００２】従来の文書用紙はキレイに三つ折りに出来にくく、しかも三つ折りした文書は封筒に入れる作業にも一工夫必要であった。
【特許文献１】１．公開番号特開２００２−２５５４４３［発明の名称］簡単な紙の三つ折り機  ２．公開番号特開２００６−２２４６４２［発明の名称］用紙の三つ折り定規  ３．公開番号特開２００１−１３８６９１［発明の名称］用紙の三つ折り補助具及び用紙の三つ折り方法  ４．公開番号実開平６−１６０９３［考案の名称］三つ折りプレート
【発明の開示】
【発明が解決しようとする課題】
【０００３】用紙文書を手作業で三つ折りにする場合、キレイに折り畳めない不具合が多く発生する。又三つ折りした文章を封筒に入れる作業が伴う。
【発明が解決する為の手段】
【０００４】本発明の請求項１に記載の用紙三つ折りは［０００３］の目的を達成する為に用紙を三つ折りにする際に用いられる折具で、用紙の折り幅よりも広い折具を用いて、用紙を挟み込むようにしてあることを特徴とする。
【発明の効果】
【０００５】本発明により用紙を三つ折りにするにあたり、折り具を使用することで三つ折りが簡単に出来、しかも折り具をガイドとして封筒（定型郵便用）に挿入し、文書が所定の位置に収まり次第折具を引き抜くことで、文書の三つ折りから封筒入れまでを簡単に出来る。
【発明を実施するための最良の形態】
【０００６】折具は合成樹脂を使用する。折具の幅は用紙サイズより広くとり、（図１−２）高さは用紙を三つ折りにする適正サイズ（図１−１）を取り、挟み面を３〜４ｃｍ折り返した（図１−３）折具。本折具を使用して用紙を挟み面（図１−３）に挟み（図２）挟み面（図１−３）の中程を押さえ（図２−５）、用紙を２回転（図３）させる事で折り目がキレイに３等分に出来る。三つ折りにした用紙を定型郵便用封筒に（図４）に挿入する。折具は三つ折りにした文書を封筒に挿入する時ガイドの役目を果たす特徴がある。封筒に用紙を挿入後用紙が収まり次第折具を引き抜く事で（図５）、用紙の三つ折りから封筒に挿入する作業が完了する。
【産業上の利用可能性】
【０００７】用紙を大量に扱う業者では高価な機械の導入で作業の省力化を計っているが、少量の用紙を扱う部署では簡単で安価な三つ折り具であれば足り、作業能率も向上するのでオフィスワークの省力化に寄与する。
【図面の簡単な説明】
【０００８】
【図１】本説明の一実施形態を示す平面図
【図２】本説明のー実施形態に係わる三つ折り具の最初の手順を示す図
【図３】本説明のー実施形態で三つ折りの流れを示す図
【図４】本説明のー実施形態で封筒に入れる手順を示す図
【図５】本説明のー実施形態に係わる封筒から折り具を引き抜く手順を示す図
【符号の説明】
【０００９】１三つ折り具・封筒入れ具
２用紙を三つ折りサイズに適する部分
３用紙を挟み込む部分
４折り返し底部
５封筒
６用紙
【図１】
2008260256.tif 000003
【図２】
2008260256.tif 000004
【図３】
2008260256.tif 000005
【図４】
2008260256.tif 000006
【図５】
2008260256.tif 000007
(57)【要約】【課題】消しゴムの使用時に、字と字の間等を細くピンポイントで消しやすいよう、消しゴム本体とは別に薄くカットした消しゴムを取り付けた消しゴムを提供する。【解決手段】  本体の消しゴムケースに薄くカットした消しゴムケースを設け、薄くカットした消しゴムを入れる。小さくピンポイントで消したい部分が出たときは、薄くカットした消しゴムを少し出し、本体部分の消しゴムを邪魔にならぬようケースに引っ込め、薄くカットした消しゴム部分で消す。以上を特徴とする消しゴムである。【選択図】図１
2008260257.tif 000002
【特許請求の範囲】
【請求項１】
消しゴムケースに薄くカットした消しゴム用ケースを取り付け、薄くカットした消しゴムを入れ、普通に字を消す作業と、字と字の間等、細く字を消す二つの作業をしやすくした消しゴム。薄くカットした消しゴム用ケース部分には溝を付け、ペンの先等で押すことで消しゴムを出しやすくしている。
【請求項２】
本体消しゴムケースの上面や底面もしくは両側面等、薄くカットした消しゴム用ケースを複数個取り付け、それぞれにも薄くカットした消しゴムを入れたもの。
【発明の詳細な説明】
【技術分野】
【０００１】  本発明は、消しゴム使用時に、字と字の間等を細部だけピンポイントで消しやすいよう、消しゴム本体とは別に薄くカットした消しゴムを取り付けた消しゴムに関するものである。
【背景技術】
【０００２】  従来、市販の消しゴムは、十ミリ角以上の大きさをもつものがほとんどで、必然的に消す範囲もそれ以上になっていた。
だが実際には１〜２ミリほどのミスを消すだけでよい場合がありそういう際には、消さなくてよいところまで消さざるをえなかった。
【発明の開示】
【発明が解決しようとする課題】
【０００３】  そのために、次のような問題点があった。
１〜２ミリほどの小さなミスをしたときや、字と字の間に小さな間違いがあったときなどは、消さなくてよい部分まで大きく消して、また書き直すという作業をせねばならず、不便なこともあった。
本発明は以上の問題点を解決しようとするものである。
【課題を解決するための手段】
【０００４】  本体の消しゴムケースに薄くカットした消しゴム用ケースを設け、薄くカットした消しゴムを入れる。小さくピンポイントで消したい部分が出たときは、薄くカットした消しゴムを少し出し、本体部分の消しゴムを邪魔にならぬようケースに引っ込め、薄くカットした消しゴム部分で消す。以上を特徴とする消しゴムである。
【発明の効果】
【０００５】  本発明は、消しゴムで消す際に細くピンポイントで消すことができる。したがって、消したい部分よりも消しゴムが大きいため、消したくない部分もよけいに消し、また書き直すという煩わしさを軽減できる。
【発明を実施するための最良の形態】
【０００６】  以下、本発明の実施の形態を説明する。
（イ）本体消しゴムケース（３）の横に薄くカットした消しゴム用ケース（４）を設ける。
（ロ）薄くカットした消しゴム用ケース（４）にケース溝部分（５）を設ける。
（ハ）本体消しゴム（１）薄くカットした消しゴム（２）をそれぞれのケースに入れる
本発明は以上のような構造で、これを使用するときは、通常に消すときは本体消しゴム用ケース（３）を指先（７）でつまんでミスした部分を消す。細くピンポイントで消したいときは、本体消しゴム（１）を邪魔にならぬよう本体消しゴム用ケース（３）に引っ込め、ケース溝部分（５）をペン先（６）で押し、薄くカットした消しゴム（２）を薄くカットした消しゴム用ケース（４）から少し出し、指先（７）で本体消しゴムケース（３）と薄くカットした消しゴム用ケース（４）をつまみ、薄くカットした消しゴム（２）でミスした部分を消す。
【図面の簡単な説明】
【０００７】
【図１】本発明の斜視図
【図２】本発明の分解斜視図
【図３】本発明の使用状況を示す斜視図
【図４】本発明の使用状態を示す斜視図２
【図５】本発明の斜視図  請求項２
【符号の説明】
【０００８】      １  本体消しゴム
２  薄くカットした消しゴム
３  本体ケース
４  薄くカットした消しゴム用ケース
５  ケース溝部分
６  ペン先
７  指先
【図１】
2008260257.tif 000003
【図２】
2008260257.tif 000004
【図３】
2008260257.tif 000005
【図４】
2008260257.tif 000006
【図５】
2008260257.tif 000007